(57)【要約】      （修正有）【課題】ライトガイド敷設作業の煩雑さを軽減して、作業時間を短縮する電力変換装置を提供する。【解決手段】電力変換装置１０は、オンオフして電力変換する第１スイッチ素子を含む第１モジュール１２と、第１モジュール１２の外周に設けられて、第１モジュール１０を支持するフレーム１４ａ〜１４ｄと、を含む電力変換器を備える。フレーム１４ａ〜１４ｄは、鉛直方向に交差する第１方向に延伸する絶縁部分を含む。絶縁部分は、鉛直方向に平行な第２方向の上方に設けられた第１開口部と、電力変換器と電力変換器を制御する制御装置との間で光信号を伝送するライトガイドを収納する第１収納部と、を含む第１ライトガイド支持部材２０を有する。【選択図】図１
2019213310.tif 000002
【特許請求の範囲】
【請求項１】
オンオフして電力変換する第１スイッチ素子を含む第１モジュールと、前記第１モジュールの外周に設けられて、前記第１モジュールを支持するフレームと、を含む電力変換器を備え、
前記フレームは、鉛直方向に交差する第１方向に延伸する絶縁部分を含み、
前記絶縁部分は、鉛直方向に平行な第２方向の上方に設けられた第１開口部と、前記電力変換器と前記電力変換器を制御する制御装置との間で光信号を伝送するライトガイドを収納する第１収納部と、を含む第１ライトガイド支持部材を含む電力変換装置。
【請求項２】
前記電力変換器は、
オンオフして電力変換する第２スイッチ素子を含み、絶縁支柱を介して前記第１モジュール上に設けられた第２モジュールと、
前記第１モジュールおよび第２モジュールにわたって前記第２方向に延伸して設けられ、前記ライトガイドを支持する第２ライトガイド支持部材と、
をさらに含む請求項１記載の電力変換装置。
【請求項３】
前記第２ライトガイド支持部材は、第２開口部と、第２収納部と、を含む請求項２記載の電力変換装置。
【請求項４】
前記第２ライトガイド支持部材は、第３開口部と、前記第２収納部とは異なる方向に形成された第３収納部と、を含み、
前記ライトガイドは、前記ライトガイドの延伸方向にわたって、前記第２収納部に収納され、前記第３収納部に収納された請求項３記載の電力変換装置。
【発明の詳細な説明】
【技術分野】
【０００１】
本発明の実施形態は、電力変換装置に関する。
【背景技術】
【０００２】
交流を直流に変換し、直流を交流に変換する大容量の交直電力変換装置は、大型の半導体素子が水冷の冷却フィンとともに収納されるモジュールを多段に積み重ねて設置される。このような電力変換装置では、モジュールが高電圧となるため、制御装置との信号の伝送には、ライトガイドが用いられる。
【０００３】
ライトガイドは、束線バンド等を用いてモジュールごと束ね、束ねたライトガイドをフレームに沿って固定し、配線ダクトに固定する。モジュール内には、スイッチング動作する多数の半導体素子が収納されており、制御装置との信号伝送のために多数のライトガイドを敷設する必要があり、このようなライトガイドの敷設作業は、煩雑で時間を要する。
【０００４】
大容量の電力変換装置に用いられるライトガイドは、折り曲げたり、傷つけたりしないように慎重に行う必要があり、ライトガイドの敷設作業には、さらに長時間を要する場合がある。
【先行技術文献】
【特許文献】
【０００５】
【特許文献１】特開２００９−２９６８３８号公報
【発明の概要】
【発明が解決しようとする課題】
【０００６】
実施形態は、ライトガイド敷設作業の煩雑さを軽減して、作業時間を短縮する電力変換装置を提供する。
【課題を解決するための手段】
【０００７】
実施形態に係る電力変換装置は、オンオフして電力変換する第１スイッチ素子を含む第１モジュールと、前記第１モジュールの外周に設けられて、前記第１モジュールを支持するフレームと、を含む電力変換器を備える。前記フレームは、鉛直方向に交差する第１方向に延伸する絶縁部分を含み、前記絶縁部分は、鉛直方向に平行な第２方向の上方に設けられた第１開口部と、前記電力変換器と前記電力変換器を制御する制御装置との間で光信号を伝送するライトガイドを収納する第１収納部と、を含む第１ライトガイド支持部材を含む。
【発明の効果】
【０００８】
本実施形態では、ライトガイド敷設作業の煩雑さが軽減され、作業時間が短縮される。
【図面の簡単な説明】
【０００９】
【図１】図１（ａ）は、実施形態に係る電力変換装置を例示する平面図である。図１（ｂ）は、実施形態に係る電力変換装置を例示する正面図である。
【図２】図２（ａ）〜図２（ｃ）は、実施形態の電力変換装置の一部を例示する背面図（図２（ａ））、平面図（図２（ｂ））、および図２（ａ）のＡＡ線における矢視断面図（図２（ｃ））である。
【図３】図３（ａ）は、実施形態の電力変換装置の一部を例示する側面図である。図３（ｂ）は、実施形態の電力変換装置の一部を例示する正面図である。図３（ｃ）は、図３（ａ）のＢＢ線における矢視断面図である。図３（ｄ）は、図３（ａ）のＣＣ線における矢視断面図である。
【図４】図４（ａ）は、比較例に係る電力変換装置を例示する平面図である。図４（ｂ）は、比較例に係る電力変換装置を例示する正面図である。
【図５】図５（ａ）は、比較例の電力変換装置の一部を例示する背面図である。図５（ｂ）は、比較例の電力変換装置の一部を例示する平面図である。
【図６】比較例の電力変換装置の一部を例示する側面図である。
【発明を実施するための形態】
【００１０】
以下、図面を参照しつつ、本発明の実施形態について説明する。
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。
なお、本願明細書と各図において、既出の図に関して前述したものと同様の要素には、同一の符号を付して詳細な説明を適宜省略する。
【００１１】
図１（ａ）は、実施形態に係る電力変換装置を例示する平面図である。図１（ｂ）は、実施形態に係る電力変換装置を例示する正面図である。
図１（ａ）および図１（ｂ）に示すように、本実施形態の電力変換装置１０は、モジュール１２と、フレーム１４ａ〜１４ｄと、を備える。モジュール１２およびフレーム１４ａ〜１４ｄは、絶縁支柱２６を介して、上下に多段に積み重ねられている。
【００１２】
以下の説明では、電力変換装置１０が設置される設置面にほぼ平行なＸＹ平面を構成するＸ軸、Ｙ軸、ならびにＸ軸およびＹ軸に直交するＺ軸からなる３次元座標軸を用いることがある。
【００１３】
モジュール１２は、たとえば、直列に接続されたサイリスタからなるサイリスタスタックと、各サイリスタのアノードカソード間に接続されたスナバ回路と、を含んでいる。各サイリスタには、たとえば、両方の端子を圧着するヒートシンクからなる冷却機構が設けられている。ヒートシンクは、別途設けられたポンプ等によって循環する純水等の冷媒によって冷却される。サイリスタスタックを含むモジュール１２の場合には、電力変換装置は、他励式の変換装置であり、サイリスタバルブである。なお、以下の説明では、電力変換装置１０は、他励式の電力変換装置であるものとして説明するが、電力変換装置１０は、他励式の電力変換装置に限らず、自励式電力変換装置であってもよい。
【００１４】
モジュール１２には、サイリスタスタックの両端の電極に接続されたモジュール電極１３ａ，１３ｂが設けられている。モジュール電極１３ａ，１３ｂは、フレーム１４ｃ，１４ｄの側の両端の付近に設けられている。引出線１６ａ，１６ｂは、それぞれの一端をモジュール電極１３ａ，１３ｂに接続され、Ｘ軸方向に沿って延伸されている。
【００１５】
モジュール電極１３ａ，１３ｂには、引出線１６ａ，１６ｂを介して、ブスバー１８ａ，１８ｂがそれぞれ接続されており、モジュール１２は、ブスバー１８ａ，１８ｂを介して、他のモジュール等の他の回路に接続されている。
【００１６】
フレーム１４ａ〜１４ｄは、ＸＹ平面視でモジュール１２の周囲を取り囲むように設けられ、モジュール１２を支持する。この例では、フレーム１４ａ，１４ｂは、ＸＺ平面にほぼ平行に対向して設けられ、フレーム１４ｃ，１４ｄは、ＹＺ平面にほぼ平行に対向して設けられている。フレーム１４ａ〜１４ｄは、Ｚ軸方向に開口された方形の筒状体である。モジュール１２は、方形の筒状体の開口内に収納される。
【００１７】
フレーム１４ｃ，１４ｄは、引出線１６ａ，１６ｂを介してモジュール１２を支持する。モジュール１２を支持する両方の側のフレーム１４ｃ，１４ｄは、モジュール１２を支持する強度を確保するために、たとえば金属製である。モジュール１２を支持していない両方の側のフレーム１４ａ，１４ｂは、モジュール１２に流れる電流の電磁誘導による発熱を防止するため、絶縁性の合成樹脂等の材料によって形成されている。フレーム１４ａ，１４ｂは、たとえば、繊維強化プラスチック（Fiber-Reinforced Plastics、ＦＲＰ）で形成される。好ましくは、フレーム１４ａ，１４ｂは、ガラス繊維強化プラスチック（Glass-Fiber-Reinforced Plastics、ＧＦＲＰ）で形成される。
【００１８】
各モジュール１２と制御装置（図示せず）との間の信号伝送には、モジュール１２が高電圧で動作するために、各モジュール１２と他の電気回路とを絶縁する必要から、ライトガイド３０が用いられている。ライトガイド３０は、モジュール１２内のサイリスタスタックを構成するサイリスタを駆動したり、サイリスタ等の状態に関するデータ等を伝送する。ライトガイド３０は、サイリスタ等のスイッチング素子ごとに複数本設けられることがあり、多数のライトガイド３０がモジュール１２と制御装置との間に敷設される。
【００１９】
モジュール１２から引き出されたライトガイド３０は、たとえば、モジュール１２ごとにまとめられて、フレーム１４ａの面上に固定される。好ましくは、ライトガイド３０は、フレーム１４ａ（絶縁部分）の裏面（背面）に固定される。ライトガイド３０をフレーム１４ａの裏面に固定することによって、ライトガイド３０が表面に露出せず、敷設後のメンテナンス時等の取り扱いが容易になる。
【００２０】
フレーム１４ａの面上に固定されたライトガイド３０は、ライトガイド支持部材２０の面上に固定される。ライトガイド支持部材２０は、絶縁性のライトガイド支持柱２４を介して、フレーム１４ｄおよび絶縁支柱２６に固定されている。ライトガイド支持部材２０は、たとえば、絶縁性のフレーム１４ａ，１４ｂと同一の材料で形成されている。ライトガイド支持部材２０は、たとえばＦＲＰであり、ＧＦＲＰである。
【００２１】
ライトガイド３０を、フレーム１４ａの面上およびライトガイド支持部材２０の面上に固定する方法について説明する。
図２（ａ）〜図２（ｃ）は、実施形態の電力変換装置の一部を例示する背面図（図２（ａ））、平面図（図２（ｂ））、および図２（ａ）のＡＡ線における矢視断面図（図２（ｃ））である。
まず、ライトガイド３０を、フレーム１４ａの面上に固定する方法について説明する。
図２（ａ）〜図２（ｃ）に示すように、フレーム１４ａは、複数の収納部１４１を含む。複数の収納部（絶縁部分）１４１は、フレーム１４ａの長手方向であって、電力変換装置１０の設置面にほぼ平行になるように、配列されている。複数の収納部１４１は、フレーム１４ａの長手方向に沿って、たとえば、等間隔に設けられている。収納部１４１の間隔は、収納するライトガイド３０の剛性や強度等に応じて適切に設定される。収納部１４１は、絶縁性の材料で形成されている。収納部１４１は、たとえば、フレーム１４ａと一体で形成されていてもよいし、フレーム１４ａの面に接着剤等で接続してもよい。
【００２２】
複数の収納部１４１のそれぞれは、掛止部１４２を有している。掛止部１４２は、フレーム１４ａの面からＹ軸方向に延伸した後、Ｚ軸正方向に延伸する鈎状体である。掛止部１４２は、上方（Ｚ軸正方向）が開口された開口部１４３を有している。
【００２３】
開口部１４３のＹ軸方向の長さ（開口幅）は、たとえばライトガイド３０の直径程度であり、開口部１４３からライトガイド３０を挿入して、掛止部１４２にライトガイド３０を収納することができる。
【００２４】
掛止部１４２のＹ軸方向の長さ（掛止部１４２の幅）は、たとえば、ライトガイド３０の直径のｎ１倍程度（ｎ１は自然数）であり、掛止部１４２の幅方向には、複数本のライトガイド３０を収納することができる。
【００２５】
掛止部１４２のＺ軸方向の長さ（掛止部１４２の深さ）は、ライトガイド３０の直径のｍ１倍程度（ｍ１は自然数であり、ｎ１と等しくてもよいし、等しくなくてもよい）であり、掛止部１４２の深さ方向には、複数本のライトガイド３０を収納することができる。
【００２６】
たとえば、開口部１４３の開口幅は、ライトガイド３０の直径程度であり、掛止部１４２の幅は、ライトガイドの直径の２倍程度である。このように設定することによって、収納したライトガイド３０が収納部１４１からはずれて開口部１４３から外に飛び出さないように、確実に収納部１４１に収納することができる。
【００２７】
次に、ライトガイド３０をライトガイド支持部材２０の面上に固定する方法について説明する。
図３（ａ）〜図３（ｄ）に示すように、ライトガイド支持部材２０は、収納部１２１ａ，１２１ｂおよび収納部１２１ｃ，１２１ｄを含む。この例では、収納部１２１ａ，１２１ｂは、Ｙ軸方向に沿って設けられ、収納部１２１ｃ，１２１ｄも、Ｙ軸方向に沿って設けられている。収納部１２１ａおよび収納部１２１ｃは、ライトガイド支持部材２０が延伸するＺ軸方向に沿って、所定の間隔で交互に複数個設けられており、収納部１２１ｂおよび収納部１２１ｄもライトガイド支持部材２０が延伸するＺ軸方向に沿って、所定の間隔で交互に複数個設けられている。つまり、収納部１２１ａが設けられている上方および下方に収納部１２１ｃが設けられており、収納部１２１ｃが設けられている上方および下方に収納部１２１ａが設けられている。同様に、収納部１２１ｂが設けられている上方および下方に収納部１２１ｄが設けられ、収納部１２１ｄが設けられている上方および下方に収納部１２１ｂが設けられている。
【００２８】
収納部１２１ａ〜１２１ｄは、絶縁性の材料で形成されている。収納部１２１ａ〜１２１ｄは、たとえばライトガイド支持部材２０と同一材料によって一体で形成されている。収納部１２１ａ〜１２１ｄは、ライトガイド支持部材２０と同一の材料で別途形成され、ライトガイド支持部材２０に接着剤等で接続されてもよい。
【００２９】
収納部１２１ａ，１２１ｂおよび収納部１２１ｃ，１２１ｄには、それぞれ、複数本のライトガイド３０が収納されている。つまり、収納部１２１ａ，１２１ｂは、ライトガイド支持部材２０の両側に所定の間隔で設けられており、同様に収納部１２１ｃ，１２１ｄは、ライトガイド支持部材２０の両側に所定の間隔で設けられている。ライトガイド３０は、Ｚ軸方向に延伸して各収納部に収納される。
【００３０】
収納部１２１ａ，１２１ｂは、掛止部１２２ａ，１２２ｂをそれぞれ有する。掛止部１２２ａは、Ｙ軸正方向に開口する開口部１２３ａを有する。掛止部１２２ｂは、Ｙ軸負方向に開口する開口部１２３ｂを有する。開口部１２３ａ，１２３ｂのＸ軸方向の長さ（開口部１２３ａ，１２３ｂの幅）は、ライトガイド３０の直径程度に設定されている。掛止部１２２ａ，１２２ｂのＸ軸方向の長さ（掛止部１２２ａ，１２２ｂの幅）は、たとえば、ライトガイド３０の直径のｎ２倍程度（ｎ２は自然数）であり、掛止部１２２ａ，１２２ｂの幅方向には、複数本のライトガイド３０を収納することができる。
【００３１】
掛止部１２２ａ，１２２ｂのＹ軸方向の長さ（掛止部１２２ａ，１２２ｂの深さ）は、ライトガイド３０の直径のｍ２倍程度（ｍ２は自然数であり、ｎ２と等しくてもよいし、等しくなくてもよい）であり、掛止部１２２ａ，１２２ｂの深さ方向には、複数本のライトガイド３０を収納することができる。
【００３２】
好ましくは、開口部１２３ａ，１２３ｂの開口幅は、掛止部１２２ａ，１２２ｂの幅よりも狭く設定されている。たとえば、開口部１２３ａ，１２３ｂの開口幅は、ライトガイド３０の直径程度であり、掛止部１２２ａ，１２２ｂの幅は、ライトガイドの直径の２倍程度である。このように設定することによって、収納したライトガイド３０が収納部１２１ａ，１２１ｂから飛び出したりしないように、確実に収納部１２１ａ，１２１ｂに収納することができる。
【００３３】
収納部１２１ｃ，１２１ｄは、掛止部１２２ｃ，１２２ｃをそれぞれ有する。掛止部１２２ｃは、Ｙ軸正方向に開口する開口部１２３ｃを有する。掛止部１２２ｄは、Ｙ軸負方向に開口する開口部１２３ｄを有する。収納部１２１ｃ，１２１ｄは、掛止部１２２ｃ，１２２ｄの形成位置が、掛止部１２２ａ，１２２ｂの形成位置に対して、ライトガイド支持部材２０の反対側である点で相違する。つまり、掛止部１２２ａ，１２２ｂは、Ｘ軸の正方向に形成され、掛止部１２２ｃ，１２２ｄは、Ｘ軸の負方向に形成される。その他の点では、収納部１２１ｃ，１２１ｄは、収納部１２１ａ，１２１ｂと同様である。
【００３４】
ライトガイド支持部材２０においては、収納部１２１ａ，１２１ｂおよび１２１ｃ，１２１ｄが交互に設けられているため、ライトガイド３０は、収納部１２１ａに収納され、その上下にある収納部１２１ｃに収納される。同様に、他のライトガイド３０は、収納部１２１ｂに収納され、その上下にある収納部１２１ｄに収納される。そのため、これらのライトガイド３０は、Ｘ軸の正負方向に波打つように、つまりＳ字状に屈曲された状態で収納される。このため、ライトガイド３０の表面と掛止部との摩擦が生じることによって、鉛直方向に延伸されたライトガイド３０が落下することを防止する。
【００３５】
収納部１２１ａ，１２１ｂおよび収納部１２１ｃ，１２１ｄの間隔を適切に設定することによって、ライトガイド３０に機械的ストレスを与えずに、ライトガイド支持部材２０に固定することができる。
【００３６】
上述では、フレーム１４ａ上の収納部は、複数個設けるとしたが、フレーム１４ａ上、Ｘ軸方向に沿って１つの収納部を設けるようにしてももちろんよい。また、収納部を複数個設ける場合に、Ｘ軸方向に沿って配列されていればよく、フレーム１４ａ上で等間隔に配置してもよいし、任意の間隔で配置してもよい。
【００３７】
また、ライトガイド支持部材２０上の収納部は、Ｙ軸の正負それぞれの方向に設けられた掛止部を、Ｚ軸方向に１個ずつ交互に設けるようにしたが、ライトガイド３０が波状に屈曲され、下方に落下しないようにできれば必ずしもこれに限らない。たとえば、収納部１２１ａ，１２１ｂおよび収納部１２１ｃ，１２１ｄを、２個おきに交互に設けたり、３個おきに交互に設けたり、収納部１２１ａ，１２１ｂを２個続けて設けた上下に３個続けて収納部１２１ｃ，１２１ｄを設けたりしてもよい。
【００３８】
実施形態の電力変換装置１０の効果について、比較例の電力変換装置と比較しつつ説明する。
図４（ａ）は、比較例に係る電力変換装置を例示する平面図である。図４（ｂ）は、比較例に係る電力変換装置を例示する正面図である。
図５（ａ）は、比較例の電力変換装置の一部を例示する背面図である。図５（ｂ）は、比較例の電力変換装置の一部を例示する平面図である。
図６は、比較例の電力変換装置の一部を例示する側面図である。
図４（ａ）および図４（ｂ）に示すように、比較例の電力変換装置２１０は、絶縁性のフレーム２１４ａと、絶縁性のライトガイド支持部材２２０と、を有する。フレーム２１４ａは、他のフレーム２１４ｂ〜２１４ｄとともにモジュール１２を支持する。ライトガイド支持部材２２０は、Ｚ軸方向に延伸して最上段のモジュールから最下段のモジュールに隣接して設けられている。
【００３９】
図５（ａ）および図５（ｂ）に示すように、フレーム２１４ａには、複数本のライトガイド３０が束線バンド２１５によって束ねられ、固定されている。たとえば、束線バンド２１５は、フレーム２１４ａに、あらかじめ開口された固定孔にそれぞれ通されて、仮止めされている。モジュール１２から引き出されたライトガイド３０は、束ねられながら、仮止めされた束線バンド２１５を結線することによって固定される。
【００４０】
図６に示すように、ライトガイド支持部材２２０には、複数本のライトガイド３０が束線バンド２２５によって束ねられ、固定されている。たとえば、束線バンド２２５は、ライトガイド支持部材２２０に、あらかじめ開口された固定孔にそれぞれ通されて、仮止めされている。フレーム２１４ａに固定されたライトガイド３０は、上下のモジュールごとに束ねられながら、仮止めされた束線バンド２２５を結線することによって固定される。
【００４１】
一般には、上述の一連の作業は、作業員が手作業によって行われる。作業員がモジュール１２等から引き出したライトガイド３０を傷つけないように、束ねたり、屈曲させたりしながら固定作業を行うので、長い時間がかかる。特に、ライトガイド支持部材２２０への固定作業は、ライトガイド３０が落下しないように、作業員が多数本のライトガイド３０を保持しながら束線バンド２２５で固定するので、作業負担が大きい。
【００４２】
これに対して、実施形態の電力変換装置１０では、絶縁性のフレーム１４ａには、収納部１４１が設けられており、ライトガイド支持部材２０には、収納部１２１ａ，１２１ｂが設けられているので、そのままライトガイド３０を挿入することによって、ライトガイド３０を固定することができる。
【００４３】
フレーム１４ａ上の収納部１４１は、上方に開口部１４３を有する鈎状の掛止部１４２を有している。開口部１４３の幅は、ライトガイド３０の直径にもとづいて設定されており、ライトガイド３０の直径程度の場合には、容易にライトガイド３０を挿入することができる。開口部１４３の幅は、掛止部１４２の幅よりも狭く設定されることができるので、一旦挿入したライトガイド３０が作業時に飛び出したりすることなく、確実に固定することができる。
【００４４】
掛止部１４２の幅および深さを適切に設定することによって、多数本のライトガイド３０を固定することができる。
【００４５】
ライトガイド支持部材２０は、側部に収納部１２１ａ，１２１ｂおよび収納部１２１ｃ，１２１ｄを有している。収納部１２１ａ，１２１ｂおよび収納部１２１ｃ，１２１ｄは、ライトガイド支持部材２０の支持面に対して、反対側に設けられており、収納部１２１ａ，１２１ｂおよび収納部１２１ｃ，１２１ｄは、Ｚ軸方向に交互に配置されている。それぞれの収納部は、鈎状の掛止部を有しているので、収納されたライトガイド３０は、波状に屈曲されるので、摩擦によって、収納部に固定され、落下することを防止する。
【００４６】
ライトガイド支持部材２０の収納部１２１ａ〜１２１ｄは、鈎状の掛止部１２２ａ〜１２２ｄをそれぞれ有している。掛止部１２２ａ〜１２２ｄは、開口部１２３ａ〜１２３ｄをそれぞれ有している。開口部の幅は、ライトガイド３０の直径にもとづいて設定されており、ライトガイド３０の直径程度の場合には、容易にライトガイド３０を挿入することができる。開口部の幅は、掛止部の幅よりも狭く設定されることができるので、一旦挿入したライトガイド３０が作業時に飛び出したりすることなく、確実に固定することができる。
【００４７】
掛止部１４２の幅および深さを適切に設定することによって、多数本のライトガイド３０を固定することができる。
【００４８】
以上説明した実施形態によれば、ライトガイド敷設作業の煩雑さを軽減して、作業時間の短縮を可能にする電力変換装置を実現することができる。
【００４９】
以上、本発明のいくつかの実施形態を説明したが、これらの実施形態は、例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明およびその等価物の範囲に含まれる。また、前述の各実施形態は、相互に組み合わせて実施することができる。
【符号の説明】
【００５０】
１０  電力変換装置、１２  モジュール、１３ａ，１３ｂ  モジュール電極、１４ａ〜１４ｄ  フレーム、１６ａ，１６ｂ  引出線、１８ａ，１８ｂ  ブスバー、２０  ライトガイド支持部材、２４  ライトガイド支持柱、２６  絶縁支柱、３０  ライトガイド、１２１ａ〜１２１ｄ，１４１  収納部、１２２ａ〜１２２ｄ，１４２  掛止部、１２３ａ〜１２３ｄ，１４３  開口部
【図１】
2019213310.tif 000003
【図２】
2019213310.tif 000004
【図３】
2019213310.tif 000005
【図４】
2019213310.tif 000006
【図５】
2019213310.tif 000007
【図６】
2019213310.tif 000008